Podtech/llm-jp-corpus-v4-ja_patent huggingface dataset:
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
ヒト患者の二次性副甲状腺機能亢進症の治療用薬物であって、25-ヒドロキシビタミンD化合物と活性ビタミンDホルモンとの組み合わせである、前記薬物。
【請求項２】
25-ヒドロキシビタミンD化合物が、主に25-ヒドロキシビタミンD3を含む、請求項1に記載の薬物。
【請求項３】
薬物が、25-ヒドロキシビタミンD化合物と活性ビタミンDホルモンのいずれか又は両方を制御放出する手段を含む、請求項1又は2に記載の薬物。
【請求項４】
（ｉ）25-ヒドロキシビタミンD化合物及び活性ビタミンDホルモンが、異なる分離した間隔で投与されるが、25-ヒドロキシビタミンD化合物及び活性ビタミンDホルモンの定期的投与の期間と重なる；
（ii）25-ヒドロキシビタミンD化合物及び活性ビタミンDホルモンが同時に投与される；又は、
（iii）25-ヒドロキシビタミンD化合物及び活性ビタミンDホルモンのいずれかが投与された後に、残りのもう一方が投与されることを特徴とする、
請求項1〜3のいずれか1項に記載の薬物。
【請求項５】
前記患者が慢性腎臓病を患っている、請求項1〜4のいずれか1項に記載の薬物。
【請求項６】
前記慢性腎臓病が病期1、病期2、病期3、病期4又は病期5である、請求項5に記載の薬物。
【請求項７】
前記慢性腎臓病が病期3又は病期4である、請求項6に記載の薬物。
【請求項８】
前記慢性腎臓病が病期5である、請求項6に記載の薬物。
【請求項９】
活性ビタミンDホルモンが1-αヒドロキシビタミンDである、請求項1〜8のいずれか1項に記載の薬物。
【請求項１０】
活性ビタミンDホルモンが1-αヒドロキシビタミンD2である、請求項1〜9のいずれか1項に記載の薬物。
【請求項１１】
ホスフェート結合剤をさらに含んでなる請求項1〜10のいずれか1項に記載の薬物。
【請求項１２】
カルシウム擬態薬をさらに含んでなる請求項1〜11のいずれか1項に記載の薬物。
【請求項１３】
25-ヒドロキシビタミンD化合物及び活性ビタミンDホルモンの、ヒト患者の二次性副甲状腺機能亢進症の治療用薬物の調製のための使用。
【請求項１４】
前記25-ヒドロキシビタミンD化合物が主に25-ヒドロキシビタミンD3を含む、請求項13に記載の使用。
【請求項１５】
二次性副甲状腺機能亢進症と診断された患者の治療用キットであって、25-ヒドロキシビタミンD化合物、活性ビタミンDホルモン、及びその組合せから成る群より選択されるメンバー、及び25-ヒドロキシビタミンD化合物と活性ビタミンDホルモンによる前記患者の共治療について記載した使用説明書を含んでなる前記キット。
【請求項１６】
前記25-ヒドロキシビタミンD化合物が主に25-ヒドロキシビタミンD3を含む、請求項15に記載のキット。
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
結晶性１−（２，２−ジフルオロ−２−デオキシ−β−Ｄ−リボフラノシル）−４−（２−プロピル−１−オキソペンチル）アミノピリミジン−２−オン  モノ−ｐ−トルエンスルホネートまたは結晶性１−（２，２−ジフルオロ−２−デオキシ−β−Ｄ−リボフラノシル）−４−（２−プロピル−１−オキソペンチル）アミノピリミジン−２−オン  ヘミ−ベンゼンスルホネート半水和物である化合物。
【請求項２】
結晶性１−（２，２−ジフルオロ−２−デオキシ−β−Ｄ−リボフラノシル）−４−（２−プロピル−１−オキソペンチル）アミノピリミジン−２−オン  モノ−ｐ−トルエンスルホネートである、請求項１に記載の化合物。
【請求項３】
実質的に純粋形態にある請求項２に記載の化合物。
【請求項４】
（ａ）４．８６±０．１°の２θ回折角におけるＸ線スペクトルのピーク、または
（ｂ）１５２．５±０．１ｐｐｍ、１５９．６±０．１ｐｐｍおよび１８２．２±０．１ｐｐｍの化学シフトの固体状態１３Ｃ  ＮＭＲにおけるピーク、
のうちの少なくとも１つによって特徴付けられる、請求項２または請求項３に記載の化合物。
【請求項５】
酢酸イソプロピル中の１−（２，２−ジフルオロ−２−デオキシ−β−Ｄ−リボフラノシル）−４−（２−プロピル−１−オキソペンチル）アミノピリミジン−２−オンの溶液にｐ−トルエンスルホン酸一水和物を加えるプロセスにより調製される、請求項２、請求項３または請求項４に記載の化合物。
【請求項６】
請求項２から請求項５のいずれか１項に記載の化合物と、薬学的に許容できる賦形剤とを含む医薬組成物。
【請求項７】
腸溶性コーティングされている、請求項６に記載の医薬組成物。
【請求項８】
感受性腫瘍の治療のための医薬の製造のための、請求項２から請求項５のいずれか１項に記載の化合物の使用。
【請求項９】
医薬としての使用のための、請求項２から請求項５のいずれか１項に記載の化合物。
【請求項１０】
Ｔ細胞リンパ腫、軟部組織の肉腫、膵臓癌、乳癌、ホジキンリンパ腫、非ホジキンリンパ腫、非小細胞肺癌、卵巣癌または膀胱癌の治療のための医薬の製造における、請求項２から請求項５のいずれか１項に記載の化合物の使用。
【請求項１１】
結晶性１−（２，２−ジフルオロ−２−デオキシ−β−Ｄ−リボフラノシル）−４−（２−プロピル−１−オキソペンチル）アミノピリミジン−２−オン  ヘミ−ベンゼンスルホネート半水和物である、請求項１に記載の化合物。
【請求項１２】
実質的に純粋形態にある請求項１１に記載の化合物。
【請求項１３】
（ａ）５．２２±０．１°および７．３３±０．１°の２θ回折角におけるＸ線スペクトルのピーク、または
（ｂ）１５６．９±０．１ｐｐｍ、１６３．３±０．１ｐｐｍ、１７６．９±０．１ｐｐｍおよび１７７．８±０．１ｐｐｍの固体状態１３Ｃ  ＮＭＲスペクトルにおけるピーク、
のうちの少なくとも１つによって特徴付けられる、請求項１１または請求項１２に記載の化合物。
【請求項１４】
メタノール中の１−（２，２−ジフルオロ−２−デオキシ−β−Ｄ−リボフラノシル）−４−（２−プロピル−１−オキソペンチル）アミノピリミジン−２−オンおよびベンゼンスルホン酸の溶液にヘキサンを加えるプロセスにより製造される、請求項１１、請求項１２または請求項１３に記載の化合物。
【請求項１５】
請求項１１から請求項１４のいずれか１項に記載の化合物と、薬学的に許容できる賦形剤とを含む医薬組成物。
【請求項１６】
腸溶性コーティングされている、請求項１５に記載の医薬組成物。
【請求項１７】
感受性腫瘍の治療のための医薬の製造のための、請求項１１から請求項１４のいずれか１項に記載の化合物の使用。
【請求項１８】
医薬としての使用のための、請求項１１から請求項１４のいずれか１項に記載の化合物。
【請求項１９】
Ｔ細胞リンパ腫、軟部組織の肉腫、膵臓癌、乳癌、ホジキンリンパ腫、非ホジキンリンパ腫、非小細胞肺癌、卵巣癌または膀胱癌の治療のための医薬の製造における、請求項１１から請求項１４のいずれか１項に記載の化合物の使用。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
下記の式を有する化合物、その製薬上許容し得る塩またはそのプロドラッグ：
【化１】
2009541340.tif 000001
(式中、点線は、結合の存在または不存在を示し；
Yは、有機酸官能基またはその14個までの炭素原子を含むアミドもしくはエステルであるか；或いは、Yは、ヒドロキシメチルまたはその14個までの炭素原子を含むエーテルであるか；或いは、Yは、テトラゾリル官能基であり；
Aは、-(CH2)6-、シス-CH2CH=CH-(CH2)3-または-CH2C≡C-(CH2)3-であり、これらにおいて、１個または２個の炭素原子はSまたはOによって置換し得；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換し得；
U1は、個々に、O；S；F；Cl；Br；I；CN；または1、2、3、4、5または6個の炭素原子を有するO-アルキルであり；
J1およびJ2は、個々に、水素；F；Cl；Br；I；O；OH；CN；1、2、3、4、5または6個の炭素原子を有するO-アルキル；1、2、3、4、5または6個の炭素原子を有するアルキル；またはCF3であり；そして、
Bは、アリールまたはヘテロアリールである)。
【請求項２】
下記の構造を有するカルボン酸またはそのバイオイソスターである化合物、またはその製薬上許容し得る塩、またはそのプロドラッグ：
【化２】
2009541340.tif 000002
(式中、点線は、結合の存在または不存在を示し；
Aは、-(CH2)6-、シス-CH2CH=CH-(CH2)3-または-CH2C≡C-(CH2)3-であり、これらにおいて、１個または２個の炭素原子はSまたはOによって置換し得；或いは、Aは、-(CH2)m-Ar-(CH2)o-であり、Arはインターアリーレンまたはヘテロインターアリーレンであり、mとoの和は1、2、3または4であり、1個のCH2はSまたはOによって置換し得；
U1は、個々に、O；S；F；Cl；Br；I；CN；または1、2、3、4、5または6個の炭素原子を有するO-アルキルであり；
J1およびJ2は、個々に、水素；F；Cl；Br；I；O；OH；CN；1、2、3、4、5または6個の炭素原子を有するO-アルキル；1、2、3、4、5または6個の炭素原子を有するアルキル；またはCF3であり；そして、
Bは、アリールまたはヘテロアリールである)。
【請求項３】
Yが、CO2R2、CON(R2)2、CON(OR2)R2、CON(CH2CH2OH)2、CONH(CH2CH2OH)、CH2OH、P(O)(OH)2、CONHSO2R2、SO2N(R2)2、SO2NHR2、下記：
【化３】
2009541340.tif 000003
(式中、R2は、個々に、H、C1〜C6アルキル、非置換フェニルまたは非置換ビフェニルである)
から選ばれる、請求項１記載の化合物。
【請求項４】
前記化合物が、下記の式を有し、またはその製薬上許容し得る塩、またはそのプロドラッグである、請求項１または３記載の化合物：
【化４】
2009541340.tif 000004
【請求項５】
前記化合物が、下記の式を有し、またはその製薬上許容し得る塩、またはそのプロドラッグである、請求項１または３記載の化合物：
【化５】
2009541340.tif 000005
【化６】
2009541340.tif 000006
【請求項６】
Aが、-(CH2)3Ar-、-O(CH2)2Ar-、-CH2OCH2Ar-、-(CH2)2OAr、-O(CH2)2Ar-、-CH2OCH2Ar-または-(CH2)2OArであり；Arが、単環式のインターヘテロアリーレンである、請求項１〜５のいずれか１項記載の化合物。
【請求項７】
Arが、インターチエニレン、インターチアゾリレン、またはインターオキサゾリレンである、請求項６記載の化合物。
【請求項８】
Aが、5-(3-プロピル)チオフェン-2-イルである、請求項７記載の化合物。
【請求項９】
Aが、6-ヘキシル、または(Z)-6-ヘキサ-4-エニルである、請求項１〜５のいずれか１項記載の化合物。
【請求項１０】
下記の式を有する請求項１、３および６〜９のいずれか１項記載の化合物、またはその製薬上許容し得る塩、またはそのプロドラッグ。
【化７】
2009541340.tif 000007
【化８】
2009541340.tif 000008
【化９】
2009541340.tif 000009
【化１０】
2009541340.tif 000010
【化１１】
2009541340.tif 000011
【化１２】
2009541340.tif 000012
【化１３】
2009541340.tif 000013
【化１４】
2009541340.tif 000014
【請求項１１】
Bが、置換または非置換フェニルである、請求項１〜１０のいずれか１項記載の化合物。
【請求項１２】
Bが、1、2、3、4または5個の置換基を有し、各置換基が、1個以上の炭素、フッ素、塩素、ホウ素または酸素原子を有し、全ての置換基が、まとめて、0、1、2、3、4、5、6、7、8、9または10個の炭素原子；0、1、2、3、4、5、6、7、8または9個のフッ素原子；0、1、2または3個の塩素原子；0、1、2または3個のホウ素原子；および0、1、2または3個の酸素原子からなる、請求項１〜１０のいずれか１項記載の化合物。
【請求項１３】
下記から選ばれる請求項７記載の化合物：
5-{3-[(1S,5S)-5-(3-クロロ-5-ヒドロキシメチル-フェノキシメチル)-4-オキソ-シクロペント-2-エニル]-プロピル}-チオフェン-2-カルボン酸；および、
5-{3-[(1S,2S)-2-(3-クロロ-5-ヒドロキシメチル-フェノキシメチル)-3-オキソ-シクロペンチル]-プロピル}-チオフェン-2-カルボン酸。
【請求項１４】
請求項１〜１３のいずれか１項記載の化合物の、哺乳類の眼内圧低下用または緑内障治療用の医薬品の製造における使用。
【請求項１５】
請求項１〜１３のいずれか１項記載の化合物を含む、眼内圧の降下用または緑内障の治療用医薬組成物。
【手続補正書】
【提出日】平成22年6月18日(2010.6.18)
【手続補正１】
【補正対象書類名】明細書
【補正対象項目名】００８７
【補正方法】変更
【補正の内容】
【００８７】
本発明に従って製造されるエポキシ化合物は、単独で、又はその他のエポキシ化合物と組み合わせて用いることができ、そのエポキシ化合物を公知のエポキシ硬化剤と反応させることによって、硬化エポキシ樹脂を製造することができる。そのような硬化剤としては、例えば、ジシアンジアミド、ジアミノジフェニルメタン、及びジアミノジフェニルスルホンなどのアミン硬化剤；無水ヘキサヒドロフタル酸及びスチレン−無水マレイン酸共重合体などの無水物；イミダゾール；フェノールノボラック樹脂などのフェノール硬化剤；並びにこれらの混合物が挙げられる。このような硬化剤は、硬化の直前に樹脂組成物へ添加してもよく、又は、硬化剤が潜在性である場合は、最初から組成物に含有させておいてもよい。使用する硬化剤の量は、通常、エポキシ成分のエポキシ当量あたり０．３〜１．５当量の範囲とすることができ、好ましくは、エポキシ成分のエポキシ当量あたり０．５〜１．１当量である。
【手続補正２】
【補正対象書類名】特許請求の範囲
【補正対象項目名】全文
【補正方法】変更
【補正の内容】
【特許請求の範囲】
【請求項１】
オレフィンからエポキシドを製造する方法であって、該方法は、
（ａ）（ｉ）２または３個以上の二重結合を有するオレフィン、（ｉｉ）遷移金属触媒及び（ｉｉｉ）溶媒を混合する工程、
（ｂ）（ｉ）過酸化水素酸化剤とオレフィンの化学量論比を超える過剰の過酸化水素酸化剤水溶液と（ｉｉ）緩衝剤との溶液を、５未満のｐＨで、調節されたあらかじめ定められた第一の反応温度で、あらかじめ定められた時間をかけて、計量供給する工程、及び
（ｃ）第一の反応温度より少なくとも５℃高い第二の反応温度に上げ、第二の反応温度であらかじめ定められた時間、反応を継続させてエポキシ化生成物を形成する工程
を含み、
反応により生じたエポキシ化生成物は、エポキシド収率が全生成物の９０重量パーセント超であり、選択性が全生成物の９０重量パーセント超であり、モノエポキシドの割合が全生成物の１０重量パーセント未満であり、そしてＯＨ末端副生物の含有量が全生成物の８重量パーセント未満である、方法。
【請求項２】
前記反応の温度が１０℃〜１００℃である、請求項１に記載の方法。
【請求項３】
前記オレフィンがジエンを含み、そして前記ジエンが次の式
【化１】
2009541317.tif 000001
を有する化合物を含む、請求項１に記載の方法。
【請求項４】
前記エポキシ化生成物が脂環式エポキシ化合物であり、そして前記脂環式エポキシ化合物が次の式
【化２】
2009541317.tif 000002
を有する化合物を含む、請求項１に記載の方法。
【請求項５】
前記触媒が、次の化学構造
（Ｒ4Ｎ+）3｛ＰＯ4［Ｗ（Ｏ）（Ｏ2）2］4｝3-
（ここで、ＲはＣ１〜Ｃ２４の炭化水素鎖である。）
で示される触媒を含む、請求項１に記載の方法。
【請求項６】
前記緩衝剤が、（ａ）前記触媒の活性の維持を補助するためのタングステン酸塩物質、（ｂ）同様に前記触媒の活性の維持を補助するためのリン酸、及び（ｃ）前記反応混合物のｐＨを維持するためのアルカリ金属塩、の混合物を含む、請求項１に記載の方法。
【請求項７】
前記溶媒が、アルキルエステル、ハロゲン化炭化水素、脂環式炭化水素、芳香族炭化水素、アルコール、及びこれらの混合物からなる群から選択される、請求項１に記載の方法。
【請求項８】
過酸化水素が、−１０℃〜１００℃の範囲の温度で、１分〜３００分の時間をかけて前記反応混合物へ添加される、請求項１に記載の方法。
【請求項９】
（ａ）請求項１に記載の方法によって製造されたエポキシ化合物、及び（ｂ）硬化剤を含む、硬化性エポキシ樹脂組成物。
【請求項１０】
（ａ）請求項１に記載の方法によって製造されたエポキシ化合物と（ｂ）硬化剤とを混合する工程を含む、硬化性エポキシ樹脂組成物を製造する方法。
【請求項１１】
請求項９に記載の硬化性エポキシ樹脂組成物を硬化することによって得ることができる、硬化されたエポキシ樹脂。
【請求項１２】
ジエンのジエポキシド及び該ジエンのモノエポキシドを含む組成物であって、該組成物中のモノエポキシドの割合が全生成物の１０重量パーセント未満であり、そして該組成物中のＯＨ末端副生物の含有量が８重量パーセント未満である、組成物。
【請求項１３】
前記ジエポキシドが脂環式ジエポキシドを含み、そして前記脂環式ジエポキシドが次の式
【化３】
2009541317.tif 000003
を有する化合物である、請求項１２に記載の組成物。
【請求項１４】
次のオリゴマー構造
【化４】
2009541317.tif 000004
を、８重量パーセント未満含有する、請求項１２に記載の組成物。
【請求項１５】
（ａ）ジエンのジエポキシド及び該ジエンのモノエポキシド（ただしモノエポキシドの割合が全生成物の３〜１０重量パーセントの範囲である。）、並びに（ｂ）硬化剤、を含む組成物から誘導される、コーティング。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
それを必要とする哺乳類において、タンパク質キナーゼ調節に反応する癌を治療する組成物であって、前記組成物は治療有効量のヘキサヒドロ−イソアルファ酸を含み、前記治療有効量は癌関連タンパク質キナーゼを調節する、前記組成物。
【請求項２】
前記ヘキサヒドロ−イソアルファ酸は、ヘキサヒドロ−イソフムロン、ヘキサヒドロ−イソコフムロン、およびヘキサヒドロ−アドフムロンから選択される、請求項１に記載の組成物。
【請求項３】
調節される前記タンパク質キナーゼは、Ａｂｌ（Ｔ３１５Ｉ）、オーロラＡ、Ｂｍｘ、ＣＤＫ９／サイクリンＴ１、ＣＫ１γ１、ＣＫ１γ２、ＣＫ１γ３、ｃＳＲＣ、ＤＡＰＫ１、ＤＡＰＫ２、ＥｐｈＢ１、ＥｒｂＢ４、Ｆｅｒ、ＦＧＦＲ２、ＧＳＫ３β、ＧＳＫ３α、ＨＩＰＫ３、ＩＧＦ−１Ｒ、ＭＡＰＫＡＰ−Ｋ２、ＭＳＫ２、ＰＡＫ３、ＰＡＫ５、ＰＩ３Ｋ、Ｐｉｍ−１、ＰＫＡ（ｂ）、ＰＫＢβ、ＰＫＢγ、ＰＲＡＫ、Ｒｓｋ２、Ｓｙｋ、Ｔｉｅ２、ＴｒｋＡ、ＴｒｋＢ、およびＺＩＰＫからなる群から選択される、請求項１に記載の組成物。
【請求項４】
前記キナーゼ調節に反応する癌は、膀胱癌、乳癌、子宮頸癌、結腸癌、肺癌、リンパ腫、黒色腫、前立腺癌、甲状腺癌、および子宮癌からなる群から選択される、請求項１に記載の組成物。
【請求項５】
前記組成物は、コーティング剤、等張剤および吸収遅延剤、結合剤、接着剤、潤滑剤、崩壊剤、着色剤、着香剤、甘味剤、吸収剤、界面活性剤、ならびに乳化剤からなる群から選択される薬学的に許容可能な賦形剤をさらに含む、請求項１に記載の組成物。
【請求項６】
前記組成物は、酸化防止剤、ビタミン、ミネラル、タンパク質、脂肪、および炭水化物からなる群から選択される１つ以上の要素をさらに含む、請求項１に記載の組成物。
【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
慢性疾患に対するワクチンであって、前記疾患の慢性期の間に発現するタンパク質のアミノ酸配列全体にわたる隣接したオーバーラップペプチドからなるペプチド混合物並びにアジュバントを含み、前記アジュバントがカチオン性リポソームである、ワクチン。
【請求項２】
前記アジュバントがＤＤＡ／ＴＤＢである、請求項１に記載のワクチン。
【請求項３】
前記ペプチドの１つ又は複数がグリコシル化、脂質付加、ＰＡＭ３Ｃｙｓ若しくはドデカノイルクロリドによる標識、又は補欠分子族を含めること、又は追加のアミノ酸を含有させること、又はＴＬＲアゴニストに対する直接接合によって化学的に修飾されている、請求項１又は２に記載のワクチン。
【請求項４】
前記ペプチド混合物がリポソームに取り込まれるか又は前記ペプチドが１０から３０アミノ酸長である、請求項１から３のいずれか一項に記載のワクチン。
【請求項５】
前記隣接したペプチドのオーバーラップが６から２０アミノ酸である、請求項１から４のいずれか一項に記載のワクチン。
【請求項６】
前記タンパク質が、細菌、ウイルス、若しくは寄生虫、又は悪性腫瘍において発現する分子に由来する、請求項１から５のいずれか一項に記載のワクチン。
【請求項７】
前記ペプチドが、マイコバクテリウムツベルクローシス、クラミジアトラコマティス、肝炎ウイルス、又はプラスモディウムファルシパラムに由来するタンパク質に由来する、請求項６に記載のワクチン。
【請求項８】
前記ペプチド混合物が、２以上のタンパク質分解剤を用いるタンパク質のタンパク質分解的切断によって調製される、請求項１から７のいずれか一項に記載のワクチンの製造方法。
【請求項９】
前記タンパク質分解剤が、タンパク質分解酵素から選択されるか、又は化学剤から選択される、請求項８に記載のワクチンの製造方法。
【請求項１０】
請求項１に記載のワクチン並びに免疫学的及び製薬学的に許容される担体、ビヒクル、又はアジュバントを含む、ヒトを含む動物における慢性疾患を予防又は治療するためのワクチン組成物。
【請求項１１】
前記予防又は治療が、アジュバント中の又は生送達系において発現される、ペプチド混合物によってわたられる全長のタンパク質を含む第二のワクチンを投与することによって追加免疫される、請求項１０に記載のワクチン組成物。
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
グリコピロニウム塩の吸入用乾燥粉末製剤の製造方法であって、（ａ）グリコピロニウム塩を固着防止剤と混合して均一混合物を得て、（ｂ）該混合物を微粉化し、そして（ｃ）担体粒子を混合して乾燥粉末製剤を形成する工程を含み、当該工程がグリコピロニウム塩の安定性を改善させるものである、方法。
【請求項２】
固着防止剤がステアリン酸金属塩、結晶糖またはそれらの混合物である、請求項１に記載の方法。
【請求項３】
固着防止剤がステアリン酸マグネシウムまたはステアリン酸カルシウムである、請求項２に記載の方法。
【請求項４】
固着防止剤がアミノ酸、リン脂質または脂肪酸誘導体である、請求項１に記載の方法。
【請求項５】
固着防止剤がレシチンである、請求項４に記載の方法。
【請求項６】
担体粒子が結晶糖である、請求項１に記載の方法。
【請求項７】
グリコピロニウム塩が臭化グリコピロニウムである、請求項１に記載の方法。
【請求項８】
グリコピロニウム塩と固着防止剤を、１種、２種、３種またはそれ以上のさらなる有効成分と共に微粉化する、請求項１に記載の方法。
【請求項９】
さらなる有効成分、またはその各々が、サルメテロール、インダカテロールおよびモメタゾンから成る群から選択される、請求項８に記載の方法。
【手続補正書】
【提出日】平成22年6月17日(2010.6.17)
【手続補正１】
【補正対象書類名】明細書
【補正対象項目名】００１７
【補正方法】変更
【補正の内容】
【００１７】
●WO 04/103306A、WO 05/000833、WO 05/103309またはWO 05/113330に開示された化合物、例えば式IXaまたはIXb：
【化１２】
2009541386.tif 000001
[式中、
Ａｋは、ＣＯＯＲ５ｋ、ＯＰＯ(ＯＲ５ｋ)２、ＰＯ(ＯＲ５ｋ)２、ＳＯ２ＯＲ５ｋ、ＰＯＲ５ｋＯＲ５ｋ、または１Ｈ−テトラゾール−５−イルであって、Ｒ５ｋは、ＨまたはＣ１−６アルキルであり；
Ｗｋは、結合、Ｃ１−３アルキレン、またはＣ２−３アルケニレンであり；
Ｙｋは、Ｃ６−１０アリールまたはＣ３−９ヘテロアリールであり、所望によりハロゲン、ＯＨ、ＮＯ２、Ｃ１−６アルキル、Ｃ１−６アルコキシ；ハロ置換Ｃ１−６アルキル、およびハロ置換Ｃ１−６アルコキシから選択される１から３個の基によって置換されており；
Ｚｋは、WO 04/103306Aで示したヘテロ環基、例えばアゼチジンであり；
Ｒ１ｋは、Ｃ６−１０アリールまたはＣ３−９ヘテロアリール(所望によりＣ１−６アルキル、Ｃ６−１０アリール、Ｃ６−１０アリールＣ１−４アルキル、Ｃ３−９ヘテロアリール、Ｃ３−９ヘテロアリールＣ１−４アルキル、Ｃ３−８シクロアルキル、Ｃ３−８シクロアルキルＣ１−４アルキル、Ｃ３−８ヘテロシクロアルキルまたはＣ３−８ヘテロシクロアルキルＣ１−４アルキルによって置換されている)であり；ここで、Ｒ１ｋの全てのアリール、ヘテロアリール、シクロアルキルまたはヘテロシクロアルキルは、ハロゲン、Ｃ１−６アルキル、Ｃ１−６アルコキシ、およびハロ置換−Ｃ１−６アルキルまたは−Ｃ１−６アルコキシから選択される１から５個の基によって置換されていてもよく；
Ｒ２ｋは、Ｈ、Ｃ１−６アルキル、ハロ置換Ｃ１−６アルキル、Ｃ２−６アルケニルまたはＣ２−６アルキニルであり：
Ｒ３ｋまたはＲ４ｋは、それぞれ独立して、Ｈ、ハロゲン、ＯＨ、Ｃ１−６アルキル、Ｃ１−６アルコキシ、またはハロ置換Ｃ１−６アルキルもしくはＣ１−６アルコキシである。]
の化合物、およびそのＮ−オキシド誘導体またはプロドラッグ、
またはその薬理学的に許容される塩、それらの溶媒和物または水和物。
【手続補正２】
【補正対象書類名】明細書
【補正対象項目名】００１８
【補正方法】変更
【補正の内容】
【００１８】
式ＩからIXbの化合物は、遊離形で存在しても塩形で存在してもよい。式ＩからVIの化合物の薬学的に許容される塩の例は、無機酸(例えば塩酸、臭化水素酸、および硫酸)との塩、有機酸(例えば、酢酸、フマル酸、マレイン酸、安息香酸、クエン酸、リンゴ酸、メタンスルホン酸、およびベンゼンスルホン酸)との塩を含み、あるいは、適切なときは、金属塩(例えばナトリウム塩、カリウム塩、カルシウム塩およびアルミニウム塩)、アミン(例えばトリエチルアミン)との塩および二塩基性アミノ酸(例えばリジン)との塩を含む。本発明の化合物と塩の組み合わせは、水和物および溶媒和物の形態を含む。
【手続補正３】
【補正対象書類名】明細書
【補正対象項目名】００４６
【補正方法】変更
【補正の内容】
【００４６】
前述に従って、本発明はまた、さらなる態様において、以下に示すものを提供する。
５.  非毒性治療有効量のＳ１Ｐ受容体モジュレーターおよびＶＥＧＦ受容体アンタゴニスト、例えば上記のＶＥＧＦ受容体アンタゴニストを、同時にまたは連続して共投与することを含む、上で定義した方法；
６.  ａ) 本明細書で開示した、遊離形または薬学的に許容される塩形のＳ１Ｐ受容体モジュレーターである第１薬物、および
ｂ) ＶＥＧＦ受容体アンタゴニスト、例えば上記のＶＥＧＦ受容体アンタゴニスト
を含む、薬学的組み合わせ物、例えばキット。該キットは、投与方法のための指示書を含んでもよい。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
有機アミンの結晶質ハロゲン化水素酸塩の製造方法であって、溶媒中の有機アミンにハロゲン化トリアルキルシリルが添加され、有機アミンは遊離塩基または酸付加塩の形態であり、有機アミンが酸付加塩の形態であるとき酸付加塩の共役酸はハロゲン化水素酸よりも弱い酸である、前記方法。
【請求項２】
方法が、
（ａ）有機アミンをプロトン性溶媒中に溶解または懸濁させる段階；
（ｂ）ハロゲン化トリアルキルシリルを添加する段階；
（ｃ）結晶を形成させる段階；および
（ｄ）形成された結晶を収集する段階
を含む、請求項１に記載の方法。
【請求項３】
段階（ａ）のプロトン性溶媒はヒドロキシル基またはカルボキシル基を含む化合物であり、特にプロトン性溶媒が芳香族もしくは脂肪族アルコール、シラノール、エノール化可能なケトンまたは芳香族もしくは脂肪族カルボン酸であり、より特定的にはプロトン性溶媒がＣ１−Ｃ６アルキルアルコール、ギ酸または酢酸である、請求項２に記載の方法。
【請求項４】
段階（ｂ）のハロゲン化トリアルキルシリルが、トリメチルシリルクロリド、トリメチルシリルブロミドまたはトリメチルシリルヨージド、特にトリメチルシリルクロリドである、請求項２または３に記載の方法。
【請求項５】
方法が、
（ａ）有機アミンを非プロトン性溶媒中に溶解または懸濁させる段階；
（ｂ）少なくとも１当量のプロトン性溶媒を添加する段階；
（ｃ）ハロゲン化トリアルキルシリルを添加する段階；
（ｄ）結晶を形成させる段階；および
（ｅ）形成された結晶を収集する段階
を含む、請求項１に記載の方法。
【請求項６】
段階（ｂ）のプロトン性溶媒はヒドロキシル基またはカルボキシル基を含む化合物であり、特にプロトン性溶媒が芳香族もしくは脂肪族アルコール、シラノール、エノール化可能なケトンまたは芳香族もしくは脂肪族カルボン酸であり、より特定的にはプロトン性溶媒がＣ１−Ｃ６アルキルアルコール、ギ酸または酢酸である、請求項５に記載の方法。
【請求項７】
段階（ｃ）のハロゲン化トリアルキルシリルが、トリメチルシリルクロリド、トリメチルシリルブロミドまたはトリメチルシリルヨージド、特にトリメチルシリルクロリドである、請求項５または６に記載の方法。
【請求項８】
方法が、
（ａ）有機アミンの酸付加塩を溶媒中に溶解、懸濁または生成させる段階；
（ｂ）ハロゲン化トリアルキルシリルを添加する段階；
（ｃ）結晶を形成させる段階；および
（ｄ）形成された結晶を収集する段階
を含む、請求項１に記載の方法。
【請求項９】
段階（ａ）の有機アミンの酸付加塩は、共役酸が塩酸よりも弱い酸であり好ましくは有機酸である酸を、アミンの溶液またはスラリーに添加することによってその場に生成される、請求項８に記載の方法。
【請求項１０】
段階（ａ）の有機酸が、置換されているか置換されていないアルカン酸、芳香族カルボン酸、ジカルボン酸またはクエン酸から選択される、請求項８または９に記載の方法。
【請求項１１】
有機酸が酢酸である、請求項１０に記載の方法。
【請求項１２】
有機アミンが医薬的に活性な化合物、特にヒト用薬剤である、請求項１〜１０のいずれか一項に記載の方法。
【請求項１３】
薬物が一級、二級、三級または四級アミノ基を含み、特に薬物が抗欝剤、特にセロトニン再取り込みインヒビターセルトラリン、デュロキセチン、ベンラファキシンもしくはシタロプラム、精神向性薬、特にドネペジル、統合失調症治療薬、特に神経遮断薬アリピプラゾール、筋肉弛緩薬、特に鎮痙薬メマンチン、免疫抑制薬、特にミコフェノラートモフェチル、抗真菌薬、特にテルビナフィン、抗菌剤、特に例えばモキシフロキサシンもしくはオキサゾリジノンリネゾリドとしてのキノロン、カルシウム模擬薬、特にシナカルセット、ドーパミンアゴニスト、特にＤ２−受容体アゴニストプラミペキソール、抗肥満薬、特にリボナバント、抗血栓症薬、特にクロピドグレルおよびプラスグレル、抗骨粗鬆症薬、特にラロキシフェン、鎮痙剤、特にダリフェナシン、男性勃起機能不全治療薬、特にバルデナフィル、抗糖尿病薬、特にＤＰＰ−ＩＶインヒビターシタグリプチンおよび抗新生物薬、特にエルロチニブからなる群から選択される、請求項１２に記載の方法。
【請求項１４】
有機アミンの結晶質ハロゲン化水素酸塩を製造するための、ハロゲン化トリアルキルシリルの使用。
【請求項１５】
有機アミンの結晶質ハロゲン化水素酸塩が、前記有機アミンの既存の数種類のハロゲン化水素酸塩の中の１つの所望のハロゲン化水素酸塩である、請求項１４に記載の使用。
【請求項１６】
有機アミンの無水結晶質ハロゲン化水素酸塩を製造するための、請求項１４または１５に記載の使用。
【請求項１７】
有機アミンの結晶質ハロゲン化水素酸塩の溶媒を製造するための、請求項１４〜１６に記載の使用。
【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
以下のステップ：
(i)トルエン、クロロベンゼン、キシレン、メタンスルホン酸、ベンゼンスルホン酸、二塩化エチレン、テトラヒドロフラン、テトラクロロエタン、ジオキサンから選ばれる有機溶媒中、50℃〜100℃での下記3−[N−(メチルペンチル)アミノ]プロピオン酸(III)と亜リン酸、ハロ亜リン酸化合物との反応；
(ii)溶媒除去に続く、水中での還流および水酸化ナトリウムの添加；
(iii)有機溶媒中での下記式(I)で示されるイバンドロン酸ナトリウムの沈澱；
を含む、式(I)で示されるイバンドロン酸ナトリウムの改良合成方法。
2009541305.tif 000001
2009541305.tif 000002
【請求項２】
亜リン酸化合物が、三塩化亜リン酸、POCl3、PCl5から選ばれる請求項１に記載の方法。
【請求項３】
好ましい有機溶媒が、トルエンである請求項１に記載の方法。
【請求項４】
ステップ(i)の好ましい温度範囲が、85℃〜95℃である請求項１に記載の方法。
【請求項５】
ステップ(iii)のイバンドロン酸ナトリウムの沈澱のための有機溶媒が、C1−C4アルコール、C3−C7ケトンまたはエステル、DMSO、アセトニトリル、テトラヒドロフラン、C5−C7非環式/環式飽和炭化水素、ジオキサンから選ばれる請求項１に記載の方法。
【請求項６】
イバンドロン酸ナトリウムの沈澱のための好ましい有機溶媒が、メタノールである請求項５に記載の方法。
【請求項７】
3−[N−(メチルペンチル)アミノ]プロピオン酸(III)の合成が、以下のステップ：
(i)式(VI)：
2009541305.tif 000003
で示されるN−メチル,N−ペンチルベンジルアミンを得るための、塩基の存在下での1−ブロモペンタンによるN−メチルベンジルアミンのN−アルキル化；
(ii)式(V)：
2009541305.tif 000004
で示されるN−メチル,N−ペンチルアミンを得るための、式(VI)で示されるN−メチル,N−ペンチルベンジルアミンの脱ベンジル化；
(iii)式(IV)：
2009541305.tif 000005
で示される3−[N−(メチルペンチル)アミノ]プロピオン酸メチルを得るための、溶媒中、25℃〜80℃での3−ハロプロピオン酸メチルによる式(V)で示されるN−メチル,N−ペンチルアミンのN−アルキル化；
(iv)式(III)：
2009541305.tif 000006
で示される3−[N−(メチルペンチル)アミノ]プロピオン酸を得るための、式(IV)で示される3−[N−(メチルペンチル)アミノ]プロピオン酸メチルの加水分解；
を含む、請求項１に記載のイバンドロン酸ナトリウムの合成方法。
【請求項８】
ステップ(i)の塩基が、炭酸ナトリウム、重炭酸ナトリウム、重炭酸カリウムから選ばれる、請求項７に記載の方法。
【請求項９】
好ましい塩基が、炭酸カリウムである請求項７に記載の方法。
【請求項１０】
ステップ(ii)の脱ベンジル化のための触媒が、パラジウム／Ｃである請求項７に記載の方法。
【請求項１１】
ステップ(iii)の3−ハロプロピオン酸メチルが、3−クロロプロピオン酸メチル、3−ブロモプロピオン酸メチル、3−ヨードプロピオン酸メチルから選ばれる、請求項７に記載の方法。
【請求項１２】
3−ハロプロピオン酸メチルが、好ましくは3−ブロモプロピオン酸メチルである請求項１１に記載の方法。
【請求項１３】
式(III)の3−[N−(メチルペンチル)アミノ]プロピオン酸の製造方法であって、以下のステップ：
(i)N−アルキル化中間体を形成するための、N−ベンジルメチルアミンのN−アルキル化；
(ii)２級アミンを形成するための、N−アルキル化中間体の脱ベンジル化；
(iii)式(IV)で示される3−[N−(メチルペンチル)アミノ]プロピオン酸メチルを得るための、２級アミンのN−アルキル化；
(iv)式(III)で示される3−[N−(メチルペンチル)アミノ]プロピオン酸を得るための、式(IV)で示される3−[N−(メチルペンチル)アミノ]プロピオン酸メチルの加水分解；
を含む方法。
【請求項１４】
ステップ(i)およびステップ(iii)のアルキル化剤が、1−ブロモペンタン、3−ハロプロピオン酸メチルおよびメチルアクリレートから選ばれる、請求項１３に記載の式(III)で示される3−[N−(メチルペンチル)アミノ]プロピオン酸の製造方法。
【請求項１５】
N−アルキル化中間体が、N−メチル,N−ペンチルベンジルアミンまたは3−[N−(メチルベンジル)]アミノプロピオン酸メチルである、請求項１３に記載の式(III)で示される3−[N−(メチルペンチル)アミノ]プロピオン酸の製造方法。
【請求項１６】
２級アミンが、N−メチル,N−ペンチルアミンまたは3−N−メチルアミノプロピオン酸メチルである、請求項１３に記載の式(III)で示される3−[N−(メチルペンチル)アミノ]プロピオン酸の製造方法。
【請求項１７】
以下のステップ：
(i)式(VI)で示されるN−メチル,N−ペンチルベンジルアミンを得るための、塩基の存在下での1−ブロモペンタンによるN−メチルベンジルアミンのN−アルキル化；
(ii)式(V)で示されるN−メチル,N−ペンチルアミンを得るための、式(VI)で示されるN−メチル,N−ペンチルベンジルアミンの脱ベンジル化；
(iii)式(IV)で示される3−[N−(メチルペンチル)アミノ]プロピオン酸メチルを得るための、溶媒中、25℃〜80℃での3−ハロプロピオン酸メチルによる式(V)で示されるN−メチル,N−ペンチルアミンのN−アルキル化；
(iv)式(III)で示される3−[N−(メチルペンチル)アミノ]プロピオン酸を得るための、式(IV)で示される3−[N−(メチルペンチル)アミノ]プロピオン酸メチルの加水分解；
を含む、式(III)で示される3−[N−(メチルペンチル)アミノ]プロピオン酸の製造方法。
【請求項１８】
塩基が、炭酸ナトリウム、重炭酸ナトリウム、重炭酸カリウムから選ばれる、請求項１７に記載の方法。
【請求項１９】
好ましい塩基が、炭酸カリウムである請求項１７に記載の方法。
【請求項２０】
脱ベンジル化のための触媒が、パラジウム／Ｃである請求項１７に記載の方法。
【請求項２１】
3−ハロプロピオン酸メチルが、3−クロロプロピオン酸メチル、3−ブロモプロピオン酸メチル、3−ヨードプロピオン酸メチルから選ばれる、請求項１７に記載の方法。
【請求項２２】
3−ハロプロピオン酸メチルが、好ましくは3−ブロモプロピオン酸メチルである請求項１７に記載の方法。
【請求項２３】
好ましい溶媒が、トルエンである請求項１７に記載の方法。
【請求項２４】
好ましい温度が、70℃である請求項１７に記載の方法。
【請求項２５】
式(III)で示される3−[N−(メチルペンチル)アミノ]プロピオン酸をイバンドロン酸またはその医薬的に許容しうる塩および水和物に変換することをさらに含む前記請求項１〜２４のいずれかに記載の方法。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
ａ）使用者の体に接触するように適合される上側表面、及び便器に近接して配置される    ように適合される下側表面、を含む便座本体を含む便座アセンブリ、
ｂ）ヒンジアセンブリ、及び
ｃ）便座アセンブリがヒンジアセンブリに回動可能に取り付けられるように適合されるピボット装置、を含み、
便座アセンブリが、便座本体内に形成されるピボット受け部、及び下側表面に備えられる複数の吸気口、をさらに含む換気トイレ装置。
【請求項２】
ピボット受け部内に設けられる排気路、及び排気路の下側に設けられ、排気路と連通するクリーニングポート、及び吸気口と排気路とを接続する複数の空気通路、をさらに含み、ピボット受け部がピボット装置を取り囲む請求項１に記載の換気トイレ装置。
【請求項３】
排気路は、空気通路が接続されるジャンクション、ジャンクションに接続される管状開口、を含み、管状開口がピボット装置を受ける請求項２に記載の換気トイレ装置。
【請求項４】
ジャンクションは、便座アセンブリの後方に開くジャンクション開口、及びジャンクション開口を気密にシールするジャンクションキャップ、を含む請求項３に記載の換気トイレ装置。
【請求項５】
排気路は、空気通路が接続されるジャンクション、ジャンクションに接続される２つの管状開口、を含み、管状開口がピボット装置を受ける請求項２に記載の換気トイレ装置。
【請求項６】
便座本体は、下側表面上に設けられ、便器と接触するように適合されるバンパを含み、バンパは、吸気口を包囲する請求項２に記載の換気トイレ装置。
【請求項７】
ヒンジアセンブリは、中空のヒンジケース、ピボット装置を受ける受け口、及びヒンジアセンブリを便器に固定するように適合される軸柱、を含む請求項２に記載の換気トイレ装置。
【請求項８】
ピボット装置は、受け口内に回転可能に受けられ、ヒンジアセンブリは、受け口内に形成される溝内に設けられるＯリングをさらに含む請求項７に記載の換気トイレ装置。
【請求項９】
便座本体が加熱される加熱ユニット、吸気口とピボット装置を接続する空気通路、をさらに含み、便座本体は、上側表面と下側表面との間に中空の空間を含む請求項１に記載の換気トイレ装置。
【請求項１０】
加熱ユニットは、中空の空間内で上側表面の下側に取り付けられる抵抗線、抵抗線を制御装置に接続する電気コード、便座本体の温度を読み取るセンサ、及びセンサを制御装置に接続するセンサコード、を含み、制御装置は、センサからの情報を受け、抵抗線への電流の量を制御する請求項９に記載の換気トイレ装置。
【請求項１１】
便座本体は、ピボット装置を受ける２つの管状開口、及び底面上に設けられ、便器に接触するように適合される少なくとも１つのバンパ、を含み、バンパは、吸気口を包囲する請求項９に記載の換気トイレ装置。
【請求項１２】
ヒンジアセンブリに接続される吸引装置をさらに含み、吸引装置は、ヒンジアセンブリを介して空気を吸引する請求項９に記載の換気トイレ装置。
【請求項１３】
ヒンジアセンブリに接続される吸引装置をさらに含み、吸引装置は、ヒンジアセンブリを介して空気を吸引する請求項２に記載の換気トイレ装置。
【請求項１４】
吸引装置は、嫌な臭いを除去するフィルタユニット、及び空気をフィルタユニットに通過させるブロワを含み、浄化された空気が、フィルタユニットを出てブロワユニットに向かう請求項１３に記載の換気トイレ装置。
【請求項１５】
フィルタユニットは、活性炭を含むフィルタ、フィルタを包囲するフィルタケージ、及び接続ホースを受けるように適合されるフィルタケージキャップ、を含む請求項１４に記載の換気トイレ装置。
【請求項１６】
ブロワユニットは、空気流を誘導するブロワ、及びブロワを取り囲むブロワケージ、を含み、ブロワを出た空気がブロワケージの内側を循環する請求項１４に記載の換気トイレ装置。
【請求項１７】
吸引装置は、微生物を死滅させるランプユニットをさらに含み、ランプユニットは、ＵＶランプを含む請求項１４に記載の換気トイレ装置。
【請求項１８】
吸引装置は、この吸引装置をオン・オフ操作するスイッチユニットをさらに含む請求項１７に記載の換気トイレ装置。
【請求項１９】
スイッチユニットは、作動後、予め決められた時間経過後に、ブロワとランプユニットを停止させる時間遅延装置を含む請求項１８に記載の換気トイレ装置。
【請求項２０】
スイッチユニットは、換気トイレ装置の使用者の足によって操作されるように適合されるフットスイッチを含む請求項１８に記載の換気トイレ装置。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
オーステナイト系の鉄鋳型合金からなる耐熱性の軸受材料であって、
その軸受面において固体潤滑剤作用を達成するのに十分な含有率で硫黄を含み、且つ、
１から６重量パーセントの含有率で１つ又は複数の合金元素、すなわち、タングステン（Ｗ）、コバルト（Ｃｏ）、ニオブ（Ｎｂ）、レニウム（Ｒｅ）、モリブデン（Ｍｏ）、タンタル（Ｔａ）、バナジウム（Ｖ）、ハフニウム（Ｈｆ）、イットリウム（Ｙ）、ジルコニウム（Ｚｒ）、及び／又は、比較的高融点の合金元素を含み、
前記個々の合金元素をそれぞれ重量パーセントで表す以下の合金組成
Ｃ＝０．４から０．６
Ｃｒ＝１８から２７
Ｎｂ＝１．４から１．８
Ｎｉ＝１２から２２
Ｓ＝０．２から０．５
Ｓｉ＝２．９から３．２
Ｗ＝２．４から２．８
残り＝鉄
３以下の不純物すなわち不特定合金元素
を特徴とする軸受材料。
【請求項２】
請求項１に記載の軸受材料よりなる羽根軸受リングにおいて、
前記個々の合金元素をそれぞれ重量パーセントで表す以下の合金組成
Ｃ＝０．４から０．６
Ｃｒ＝１８．５から２０．５
Ｎｂ＝１．４から１．８
Ｎｉ＝１２．５から１４
Ｓ＝０．２５から０．４５
Ｓｉ＝２．９から３．１５
Ｗ＝２．４から２．８
残り＝鉄
３以下の不純物すなわち不特定合金元素
を特徴とする羽根軸受リング。
【請求項３】
請求項１に記載の軸受材料よりなる羽根軸受リングにおいて、
個々の合金元素をそれぞれ重量パーセントで表す以下の合金組成
Ｃ＝０．４から０．６
Ｃｒ＝２４．５から２６．５
Ｎｂ＝１．４から１．８
Ｎｉ＝１９．５から２１．５
Ｓ＝０．２５から０．４５
Ｓｉ＝２．９から３．１５
Ｗ＝２．４から２．８
残り＝鉄
３以下の不純物すなわち不特定合金元素
を特徴とする羽根軸受リング。
【手続補正書】
【提出日】平成22年6月22日(2010.6.22)
【手続補正１】
【補正対象書類名】特許請求の範囲
【補正対象項目名】全文
【補正方法】変更
【補正の内容】
【特許請求の範囲】
【請求項１】
油圧流体のオイルリザーバ（４）に連通するポンプ（２）と、給電手段（５）を有する駆動手段（３）とを備えるパワーコントローラにおいて、
前記ポンプ（２）が、前記オイルリザーバ（４）内に取り付けられているとともに該オイルリザーバ（４）よりも上側に配置された駆動手段（３）に結合され、
前記ポンプ（２）とオイルリザーバ（４）と駆動手段（３）と給電手段（５）とが、少なくとも部分的に取り外し自在なケーシング部材（１、７）で囲繞され、
該ケーシング部材（１、７）が、前記パワーコントローラを輸送可能にする支持手段（６、８）に結合されていることを特徴とするパワーコントローラ。
【請求項２】
前記駆動手段が、直流の電気モータ（３）であり、
前記給電手段が、前記ケーシング部材（１、７）から取り外し自在であるとともに、電源回路に迅速に接続する電気接続手段（１０５、１２５、１３５）を有するサイクリック式の電源バッテリ（５）であることを特徴とする請求項１記載のパワーコントローラ。
【請求項３】
前記電源バッテリ（５）が、前記ポンプ（２）を囲繞するオイルリザーバ（４）の下側に位置する区画された収容室内に配置され、
前記オイルリザーバ（４）および電源バッテリ（５）を少なくとも有する集合体が、略円筒状の前記ケーシング部材（１）内に取り付けられ、
前記電源バッテリ（５）の交換用のアクセスハッチ部分（３０１）が、前記ケーシング部材（１）に設けられていることを特徴とする請求項２記載のパワーコントローラ。
【請求項４】
前記オイルリザーバ（４）とポンプ（２）と電気モータ（３）とからなる集合体が、開閉自在な蓋（１０７）を有するほぼスーツケース形状のケーシング部材（７）内に設置され、
前記電源バッテリ（５）が、前記集合体の横側に配置されていることを特徴とする請求項２記載のパワーコントローラ。
【請求項５】
前記支持手段が、リュックサック等と同様なオペレータの身体への取り付け手段（１０６、２０６、６０８、７０８）を有する硬質または半硬質のフレーム（６、８）であることを特徴とする請求項１乃至請求項４のいずれか一つに記載のパワーコントローラ。
【請求項６】
前記フレーム（６、８）の一部としてのアイドル状のホイール（３０６、３０７）と伸縮自在および引き出し自在なハンドル（４０８、４１６、４３６）とが滑らかな表面上での輸送のために設けられていることを特徴とする請求項５記載のパワーコントローラ。
【請求項７】
前記ケーシング部材（１）が、該ケーシング部材（１）に配置したベース部材（１０１）に接続された直立部材（Ｕ）に沿って伸縮自在にスライドする管状のガイド部材（Ｇ）によって支持されて前記ベース部材（１０１）に対して上昇するようになっているとともに、
前記ケーシング部材（１）を上昇位置に維持するストッパ部材が設けられていることを特徴とする請求項１記載のパワーコントローラ。
【請求項８】
前記電源バッテリ（５）が、該電源バッテリ（５）の充電状態を検出する基板と前記電源バッテリ（５）の充電状態を視覚的に表示する表示手段（Ｌ１、Ｌ２、Ｌ３）とを備えていることを特徴とする請求項１乃至請求項７のいずれか一つに記載のパワーコントローラ。
【請求項９】
前記ケーシング部材（１）の外側から最大圧力弁（Ｖ）の圧力を手動で調整するための圧力調整手段（Ｋ）が設けられていることを特徴とする請求項１乃至請求項８のいずれか一つに記載のパワーコントローラ。
【請求項１０】
前記最大圧力弁（Ｖ）の圧力を検出する圧力ゲージ（Ｐ）と前記最大圧力弁（Ｖ）の圧力をケーシング部材（７）の外側から手動で調整するための圧力調整手段（Ｋ）とが設けられていることを特徴とする請求項４記載のパワーコントローラ。